(57)【要約】      （修正有）【課題】容器の取出し口の開閉を一操作で行うことができる包装容器を提供する。【解決手段】開閉機構２１は、容器本体３１に固定する第１固定部２２及び第２固定部２８と、第１固定部にヒンジ部ａを介して連設された傾斜板２３と傾斜板の幅方向の両端にヒンジ部ｂを介して連設された一対の傾斜帯状片２４ａ、２４ｂと、各傾斜帯状片にヒンジ部ｃを介して連設された傾動部２５ａ、２５ｂと、両傾斜帯状片の間に位置し、前記傾動部と一体に形成された閉鎖板２６を備える。閉鎖板はヒンジ部ｄを介して第２固定部２８に連続している。容器本体３１には、第１固定部２２を載置固定するための第１載置固定部３２、第１載置固定部３２に続く傾斜部３３、閉鎖板２６の載置部３４、及載置部に続く、第２固定部２８を載置固定するための第２載置固定部３４ａが設けられている。載置部３４ａには容器本体３１の取り出し口３５が設けられている。【選択図】      図８
2006256644.tif 000002
【特許請求の範囲】
【請求項１】
取り出し口を有する容器本体及びこの容器本体の取り出し口を開閉するための開閉機構とからなる包装容器において、前記開閉機構は、開封機構を容器本体に固定するための第１固定部及び第２固定部と、第１固定部にヒンジ部を介して連設された傾斜板と傾斜板の幅方向の両端にヒンジ部を介して連設された一対の傾斜帯状片と、傾斜帯状片にヒンジ部を介して連設された傾動部と、前記一対の傾斜帯状片の間に位置し、前記傾動部と一体に形成された閉鎖板を備え、閉鎖板はヒンジ部を介して第２固定部に連続しており、容器本体には、開閉機構の第１固定部を載置固定するための第１載置固定部、この第１載置固定部に続く傾斜部、閉鎖板の載置部、及びこの載置部に続く、第２固定部を載置固定するための第２載置固定部が設けられており、載置部には容器本体の取り出し口が設けられていることを特徴とする包装容器。
【請求項２】
閉鎖板には取り出し口に密嵌合することが可能な環状突起部が設けられていることを特徴とする請求項１に記載の包装容器。
【請求項３】
容器本体は、底部材と蓋部材とからなり、底部材は蓋部材に嵌合されてなるカード状ケースであることを特徴とする請求項１又は２に記載の包装容器。
【請求項４】
底部材の内部に包装内容物を蓋部材の取り出し口に対応する領域に誘導するための誘導壁が備えられていることを特徴とする請求項１乃至３の何れか一項に記載の包装容器。
【発明の詳細な説明】
【技術分野】
【０００１】
本発明は、錠剤、顆粒等の内容物の包装容器に関する。
【背景技術】
【０００２】
図１に背面側から見た斜視図を示し、図２に正面側から見た斜視図を示すような容器の蓋の開放機構が知られている（特許文献１参照）。この蓋の開放機構は、容器本体１１に対してヒンジ部４を介して連接された蓋体１２を開閉するための蓋の開放機構である。２本の切込み長孔１８が、それぞれ容器本体１１の背面側の任意の位置から、ヒンジ部４に達するまで切り込まれている。この２本の切込み長孔１８、１８は、両切込み長孔１８、１８間の領域を指で押圧可能な間隔をおいて設けられ、両切込み長孔１８、１８間に折り曲げ溝７を有する押圧操作部５が形成されている。この押圧操作部５を容器本体１１の背面側から指で押圧することにより、押圧操作部５からヒンジ部４を介して蓋体１２に伝わった押圧力により、蓋体１２が押圧力の作用方向に若干撓み移動し、その状態で押圧操作部５が容器本体の内側へ向けて撓み変形することにより、蓋体１２が容器本体１１の側に引っ張られ、押圧操作部５の容器本体１１の背面部への連接部とヒンジ４の間の間隔が短縮される一方、他方では容器本体１１の背面部の押圧操作部５の左右の隣接部分が原型を保持しようとすることによって、蓋体１２はヒンジ部４を回動中心部として強制的に開放される。
【特許文献１】特許第３１３７１２３号公報
【発明の開示】
【発明が解決しようとする課題】
【０００３】
この特許文献１に記載の技術を利用してなる錠剤、顆粒等の内容物の包装容器においては、容器本体１１の背面部を押して開口するので、利用者は容器本体１１の前後の関係を忘れて、容器を傾けて持った状態で押圧操作部５を押し、押圧操作部５の後ろ側に向けて開口した開口部から内容物をこぼしてしまうことがある。また、押圧操作部５を指で押すとき、図３に示すように、うっかり押圧操作部５と蓋体１２を把持してしまうことがあり、その場合、蓋体１２は開かない。また、ワンタッチオープン故に、かばん等の中に入れて携帯した状態で、押圧操作部５がそれに接触した他の物に押圧されて不用意に開き内容物が飛び出してしまうことがある。特に蓋体１２の真下の容器本体１１の領域を押すと容器本体１１がゆがみ、そのために蓋体１２が開き密閉性に欠ける。
本発明の目的は、容器の取り出し口とそれを開閉する開閉機構の関係を誤って認識されることのないように、取り出し口と開閉機構が容器の同じ側に位置し、容器の取り出し口の開閉を一操作で行うことができる包装容器を提供することである。
【課題を解決するための手段】
【０００４】
請求項１に記載の発明は、上記の課題を解決するもので、取り出し口を有する容器本体及びこの容器本体の取り出し口を開閉するための開閉機構とからなる包装容器において、前記開閉機構は、開封機構を容器本体に固定するための第１固定部及び第２固定部と、第１固定部にヒンジ部を介して連設された傾斜板と傾斜板の幅方向の両端にヒンジ部を介して連設された一対の傾斜帯状片と、傾斜帯状片にヒンジ部を介して連設された傾動部と、前記一対の傾斜帯状片の間に位置し、前記傾動部と一体に形成された閉鎖板を備え、閉鎖板はヒンジ部を介して第２固定部に連続しており、容器本体には、開閉機構の第１固定部を載置固定するための第１載置固定部、この第１載置固定部に続く傾斜部、閉鎖板の載置部、及びこの載置部に続く、第２固定部を載置固定するための第２載置固定部が設けられており、載置部には容器本体の取り出し口が設けられていることを特徴とする包装容器を要旨とする。
【０００５】
この発明によれば、傾斜板を押して容器本体の傾斜部に押しつけ、それと共に傾斜帯状部を傾斜させ、それによって傾斜帯状部と傾動板の間のヒンジ部を移動させることにより、傾動板及びそれと一体の閉鎖板を起こしてワンタッチで取り出し口を露出させ、内容物を取り出すことができ、また内容物の取り出し後に、閉鎖板を寝かせることにより、閉鎖板を取り出し口の上に位置させて、簡単に取り出し口を塞ぐことができる包装容器を提供することができる。この容器においては、取り出し口と開閉操作部が容器の同じ側に位置するので、内容物をこぼすことなく確実に取り出すことができる。
【０００６】
本発明においては取り出し口は円形、楕円形、卵形等の任意の形状に形成しうることは言うまでもないことである。また内容物が顆粒状物である場合には、取り出し口を多数の小穴群で形成してもよい。
【０００７】
傾倒板の背面側には、取り出し口に密嵌合することが可能な、所謂パッキングのはたらきをする環状突起部が設けることが望ましく、この環状突起部によって取り出し口を気密に塞ぐことができる。
【０００８】
本発明において、容器本体として、底部材と蓋部材とからなり、底部材は蓋部材に嵌合されてなるカード状ケースを用いることができる。このカード状ケースにおいては底部材に例えば顆粒状内容物を入れ蓋部材と合わせることにより錠剤、顆粒等の内容物の包装容器を形成することができる。
【０００９】
本発明において、底部材と蓋部材からなるカード状の容器において、底部材の内部に包装内容物を蓋部材の取り出し口に対応する領域に誘導するための誘導壁が備えられていることが望ましい。誘導壁が存在することにより、容器内の錠剤、顆粒等の包装内容物を全て容器から取り出すことができる。
【発明の効果】
【００１０】
本発明の包装容器は、前記したように、取り出し口を有する容器本体及びこの容器本体の取り出し口を開閉するための開閉機構とからなる包装容器において、前記開閉機構は、開封機構を容器本体に固定するための第１固定部及び第２固定部と、第１固定部にヒンジ部を介して連設された傾斜板と傾斜板の幅方向の両端にヒンジ部を介して連設された一対の傾斜帯状片と、傾斜帯状片にヒンジ部を介して連設された傾動部と、前記一対の傾斜帯状片の間に位置し、前記傾動部と一体に形成された閉鎖板を備え、閉鎖板はヒンジ部を介して第２固定部に連続しており、容器本体には、開閉機構の第１固定部を載置固定するための第１載置固定部、この第１載置固定部に続く傾斜部、閉鎖板の載置部、及びこの載置部に続く、第２固定部を載置固定するための第２載置固定部が設けられており、載置部には容器本体の取り出し口が設けられている包装容器であるので、傾斜板を押して容器本体の傾斜部に押しつけ、それと共に傾斜帯状部を傾斜させ、それによって傾斜帯状部と傾動板の間のヒンジ部を移動させることにより、傾動板及びそれと一体の閉鎖板を起こしてワンタッチで取り出し口を露出させ、内容物を取り出すことができ、また内容物の取り出し後に、閉鎖板を寝かせることにより、閉鎖板を取り出し口の上に位置させて、簡単に取り出し口を塞ぐことができる包装容器を提供することができる。この容器においては、取り出し口と開閉操作部が容器の同じ側に位置するので、内容物をこぼすことなく確実に取り出すことができる。
【発明を実施するための最良の形態】
【００１１】
図４乃至図１１を用いて、発明を実施するための最良の形態を説明する。
【００１２】
図４は本発明の包装容器を構成する開閉機構の展開図である。図５は本発明の包装容器の容器本体の平面図である。図６は図５に示すＡ−Ａ線矢視断面図である。図７は図５に示す容器本体の斜視図である。図８は容器本体に開閉機構を取り付けた状態を示す斜視図である。図９は図８に示す包装容器の断面図である。図１０は図９に示す包装容器の開封した状態を示す断面図である。図１１は図１０に示す開封状態の包装容器の断面図である。
【００１３】
本発明の包装容器は、取り出し口３５を有する容器本体３１及びこの容器本体３１の取り出し口３５を開閉するための開閉機構２１とからなる。開閉機構２１は、開封機構２１を容器本体３１に固定するための第１固定部２２及び第２固定部２８と、第１固定部２２にヒンジ部ａを介して連設された傾斜板２３と、傾斜板２３の幅方向の両端にヒンジ部ｂに連設された一対の傾斜帯状片２４ａ、２４ｂと、傾斜帯状片２４ａ、２４ｂにヒンジ部ｃを介して連設された傾動部２５ａ、２５ｂと、前記一対の傾斜帯状片２４ａ、２４ｂの間に位置し、前記傾動部２５ａ、２５ｂと一体に形成された閉鎖板２６を備える。閉鎖板２６はヒンジ部ｄを介して第２固定部２８に連続している。容器本体３１には、開閉機構２１の第１固定部２２を載置固定するための第１載置固定部３２、この第１載置固定部３２に続く傾斜部３３、閉鎖板２６の載置部３４が設けられている。この載置部３４はそれと一体の、第２固定部２８を載置固定するための第２載置固定部３４ａを備える。載置部３４には容器本体の取り出し口３５が設けられている。第１固定部２２は第１載置固定部３２に載置され、固定ピンにより第１載置固定部３２に固定されている。また第２固定部２８は第２載置固定部３４ａに載置され、固定ピンにより第２載置固定部３４ａに固定されている。
【００１４】
尚、第１固定部２２の第１載置固定部３２への固定及び第２載置固定部３４ａへの固定は、固定ピンによる固定に代えて接着剤による固定方法によっても良い。
【００１５】
傾斜帯状部２４ａ、２４ｂと傾動部２５ａ、２５ｂの間のヒンジ部ｃは、第２固定部２８と閉鎖板２６の間のヒンジ部ｄよりも後方に、即ち図４に示すように間隔ｈを置いて位置している。
【００１６】
本発明の包装容器においては、図４、図８及び図１０に示すように、閉鎖板２７に容器本体２１の取り出し口２２に密嵌合する所謂パッキングの役目をする環状突起部２７を設けるのが望ましい。
【００１７】
また、本発明の包装容器においては、取り出し口３５は円形のものに限定されることなく、例えば卵形、楕円形等の形状のものであってもよい。また内容物が顆粒状物である場合には、取り出し口を多数の小穴群で形成してもよい。
【００１８】
図１２、図１３に示すように、、容器本体３１は、底部材３１ｂと蓋部材３１ａからなる。底部材３１ｂに錠剤、顆粒等の包装内容物を収容し、図１３に示す底部材３１ｂのボス３７に図１２に示す蓋部材３１ａのピン３６を係合させ、且つ図１２に示す蓋部材３１ａの周囲端部に設けられた段下げ部３８を図１３に示す底部材３１ｂの周囲端部に設けられた段上げ部３９を係合させて底部材３１ｂに蓋部材３１ａを嵌合させて一体化され、容器本体３１が形成されている。
【００１９】
尚、図１４に示すように、底部材の３１ｂの内部に、包装内容物を蓋部材の３１ａの取り出し口３５に対応する領域に誘導するための誘導壁４０を備えることが望ましい。誘導壁４０が存在することにより、容器内の錠剤、顆粒等の包装内容物を全て容器から取り出すことができる。
【００２０】
図１０及び図１１は、本発明の包装容器の取り出し口を開放する過程を示す斜視図である。取り出し口の開放は閉鎖板２１の傾斜板２３を下方に容器本体３１の傾斜部３３に接触させるまで押し下げる。傾斜板２３の押し下げと共に傾斜帯状片２４ａ、２４ｂが斜めになり、それによって傾斜帯状部２４ａ、２４ｂと傾動部２５ａ、２５ｂの間のヒンジ部ｃが傾斜板２３のほうに引っ張られると共に上方へ引き上げられる。傾動部２５ａ、２５ｂ及び閉鎖板２６は固定のヒンジ部ｄを中心に回動するように構成されているので、ヒンジ部ｃはヒンジ部ｄの回りを回動することになる。その結果、ヒンジ部ｃの移動につれて傾動部２５ａ、２５ｂ並びに傾動部２５ａ、２５ｂと一体の閉鎖板２６も斜めに立ち上がり容器本体３１の取り出し口３５を露出させる。内容物の取り出し後に、閉鎖板２６を寝かせることにより、閉鎖板２６を取り出し口３５の上に位置させて、簡単に取り出し口３５を塞ぐことができる。この容器においては、取り出し口３５と開閉操作部が容器の同じ側に位置するので、内容物をこぼすことなく確実に取り出すことができる。
【産業上の利用可能性】
【００２１】
本発明の包装容器は、錠剤、顆粒等の包装容器として用いることができる。
【図面の簡単な説明】
【００２２】
【図１】特許文献１に記載の蓋の開放機構を有する容器の背面斜視図である。
【図２】特許文献１に記載の蓋の開放機構を有する容器の蓋を開いた状態を示す正面斜視図である。
【図３】図１に示す容器の開閉時における押圧操作部の誤った押圧の仕方を示す斜視図である。
【図４】本発明の包装容器を構成する開閉機構の展開図である。
【図５】本発明の包装容器の容器本体の平面図である。
【図６】図５に示すＡ−Ａ線矢視段面図である。
【図７】図５に示す容器本体の斜視図である。
【図８】容器本体に開閉機構を取り付けた状態を示す斜視図である。
【図９】図８に示す包装容器の断面図である。
【図１０】図８及び図９に示す包装容器の開封した状態を示す斜視図である。
【図１１】図１０に示す開封状態の包装容器の断面図である。
【図１２】本発明の包装容器の実施態様における容器本体の蓋部材のピン部を示す拡大断面図である。
【図１３】本発明の包装容器の実施態様における容器本体の底部材のボス部を示す拡大断面図である。
【図１４】底部材と蓋部材からなる容器本体の、内部に誘導壁を備える底部材の斜視図である。
【符号の説明】
【００２３】
２１          開閉機構
２２          第１固定部
２３          傾斜板
２４ａ        傾斜帯状部
２４ｂ        傾斜帯状片
２５ａ        傾動部
２５ｂ        傾動部
２６            閉鎖板
２７            環状突起部
２８            第２固定部
ａ              ヒンジ部
ｂ              ヒンジ部
ｃ              ヒンジ部
３１          容器本体
３１ａ        容器本体の蓋部材
３１ｂ        容器本体の底部材
３２          第１載置固定部
３３          傾斜部
３４          閉鎖板の載置部
３４ａ        第２載置部
３５          取り出し口
３６          ピン
３７          ボス
３８          段下げ部
３９          段上げ部
４０          誘導壁
【図１】
2006256644.tif 000003
【図２】
2006256644.tif 000004
【図３】
2006256644.tif 000005
【図４】
2006256644.tif 000006
【図５】
2006256644.tif 000007
【図６】
2006256644.tif 000008
【図７】
2006256644.tif 000009
【図８】
2006256644.tif 000010
【図９】
2006256644.tif 000011
【図１０】
2006256644.tif 000012
【図１１】
2006256644.tif 000013
【図１２】
2006256644.tif 000014
【図１３】
2006256644.tif 000015
【図１４】
2006256644.tif 000016